(57)【要約】      （修正有）【課題】戸外でのゴミ収集にも屋内のゴミ収集に利用できるゴミ収集具を提供する。【解決手段】ゴミ収集具１は、ゴミ箱本体１１と、ゴミ箱本体１１の上縁に着脱自在に取り付けられる方形環状固定枠１２とから構成される。通常時には、方形環状固定枠１２にビニル袋等のゴミ袋をその開口部を広げた状態で取り付け、方形環状固定枠１２をゴミ箱本体１１の上縁に固定して、屋内で通常のゴミ箱として使用する。公共清掃活動等で戸外で使用するときには、ゴミ箱本体１１から方形環状固定枠１２を外し、方形環状固定枠１２にゴミ袋を取り付けて使用する。ゴミ袋の開口部を開いたままの状態で固定されるため、拾ったゴミをゴミ袋内に簡単に収納することができる。【選択図】図１
0003145062.tif 000002
【実用新案登録請求の範囲】
【請求項１】
上部が開口とされたゴミ箱本体と、前記ゴミ箱本体の上部に着脱自在に取り付けられる方形環状固定枠とを有し、前記方形環状固定枠は、方形環状固定枠の奥行きを可変させるスライド機構および折り畳み自在の取手部を備え、
通常時には、ゴミ袋の開口部を固定した前記方形環状固定枠を前記ゴミ箱本体の上部に装着し、
戸外での使用時には、前記ゴミ箱本体の上部から前記方形環状固定枠を外し、前記方形環状固定枠にゴミ袋の開口部を固定して、前記ゴミ袋の開口部を開いた状態に保持する
ようにしたことを特徴とするゴミ収集具。
【請求項２】
前記取手部は、上下方向に回動して折り畳み自在とするようにしたことを特徴とする請求項１に記載のゴミ収集具。
【請求項３】
前記取手部は、左右方向に回動して折り畳み自在とするようにしたことを特徴とする請求項１に記載のゴミ収集具。
【請求項４】
前記スライド機構はスライドをロックするネジを有することを特徴とする請求項１に記載のゴミ収集具。
【請求項５】
前記スライド機構は、スライドをロックするレバー式ロック機構を有することを特徴とする請求項１に記載のゴミ収集具。
【請求項６】
前記方形環状固定枠は、前記ゴミ袋としてレジ袋又は手提げ袋を使用したときに、手提げの部分を引っ掛けるフックを有することを特徴とする請求項１乃至５の何れかに記載のゴミ収集具。
【請求項７】
前記方形環状固定枠の前側のプレートは、チリトリ機能を持たせるために斜めに配置されていることを特徴とする請求項１乃至６の何れかに記載のゴミ収集具。
【請求項８】
さらに、前記ゴミ箱本体と前記方形環状固定枠とを着脱自在に結合するための結合機構を有することを特徴とする請求項１乃至７の何れかに記載のゴミ収集具。
【考案の詳細な説明】
【技術分野】
【０００１】
本考案は、家庭内のゴミ箱として使用できると共に、戸外での清掃や地域ぐるみの公共清掃活動において使用できるゴミ収集具に関する。
【背景技術】
【０００２】
環境問題が深刻さを増したこともあり、地域ぐるみの清掃活動、学校やお年寄り、団体・事業者なとのよる道路清掃、公共施設・公園などの奉仕作業等の公共清掃活動を通じて、環境に対する関心が一層高まってきている。
【０００３】
日本の美しさは、温帯気候の四季折々の美しさ、風土風景の美しさに加えて、ゴミの少ない地域社会の美しさがある。不法投棄、ゴミ屋敷、産業廃棄物等、未解決のゴミ問題は残っているものの、ゴミ問題に対する社会の取り組みは厳しくなり、ゴミ分別によるリサイクル、ゴミの減量化の取り組みが行われている。このようなゴミ問題への取り組みや戸外の公共清掃活動により、日本の美しさが支えられていると言える。
【０００４】
日本人のボランティア精神はまだ低いと言われているが、奉仕活動は昔から行われており、水道や道路の整備、墓地、神社、公園の草むしり、農作業の協力等、皆で助け合って自分たちに地域社会を築いてきた。公共清掃活動等の現在のボランティア活動は、これらの奉仕活動が継承されたものと考えられる。これらが現在の日本の美しさを支えている要因であろう。
【０００５】
このような戸外での公共清掃活動は、通常、各自がビニル袋等をゴミ袋として持ち歩き、道路や、公共施設、公園等でゴミを拾い、その拾ったゴミを各自のゴミ袋に入れて、持ち帰る作業を行ってきている。
【０００６】
また、特許文献１には、ゴミを袋の中に入れるのに便利な弾性に富んだプレートにアームを取り付けた袋開口保持具が提案されている。
【特許文献１】実用新案登録第３１０２１２１号公報
【考案の開示】
【考案が解決しようとする課題】
【０００７】
しかしながら、ビニル袋等をゴミ袋とした場合には、静電気等の作用により、拾ったゴミを袋に入れようとするときに、袋の口がくっついて、大変にゴミを入れずらいという問題がある。また、ビニル袋では、手や袋も汚れやすく、また、ゴミの量が大きくなるにつれて、袋を持ちにくくなる。一人がゴミ袋の口を開け、他の一人がゴミを入れるというのでは、作業が非能率である。
【０００８】
特許文献１に示されるようなこのような袋開口保持具を使えば、袋の口が開いた状態に保持でき、拾ったゴミが入れやすくなる。
【０００９】
しかしながら、公共清掃活動は１ヶ月に１回程度行われるのが普通であり、特許文献１に示される袋開口保持具は、普段の生活では殆ど使用されない。１ヶ月に１回程度行われ戸外での公共清掃活動のためだけ、袋開口保持具を購入するのでは、無駄が多い。
【００１０】
また、特許文献１に示されている袋開口保持具では、プレートの大きさが決まっているため、各種の大きさのビニル袋やレジ袋に対応できない。
【００１１】
さらに、戸外での清掃活動では、箒とチリトリをもって、ゴミ集めを行うことが多い。このような場合に、チリトリ機能が付いていると、集めたゴミを直接収集でき、便利である。ところが、特許文献１に示されている袋開口保持具では、チリトリとして利用できない。
【００１２】
上述の課題を鑑み、本考案は、戸外でのゴミ収集や屋内のゴミ収集にも利用でき、また、各種の大きさのゴミ袋に対応でき、さらに、チリトリとしても使えるようにしたゴミ収集具を提供することを目的とする。
【課題を解決するための手段】
【００１３】
上述の課題を解決するために、本考案のゴミ収集具は、上部が開口とされたゴミ箱本体と、ゴミ箱本体の上部に着脱自在に取り付けられる方形環状固定枠とを有し、方形環状固定枠は、方形環状固定枠の奥行きを可変させるスライド機構および折り畳み自在の取手部を備え、通常時には、ゴミ袋の開口部を固定した方形環状固定枠ゴミ箱本体の上部に装着し、戸外での使用時には、ゴミ箱本体の上部から方形環状固定枠を外し、方形環状固定枠にゴミ袋の開口部を固定して、ゴミ袋の開口部を開いた状態に保持するようにしたことを特徴とする。
【００１４】
好ましくは、取手部は、上下方向に回動して折り畳み自在とするようにしたことを特徴とする。
【００１５】
好ましくは、取手部は、左右方向に回動して折り畳み自在とするようにしたことを特徴とする。
【００１６】
好ましくは、スライド機構をロックさせるネジを有することを特徴とする。
【００１７】
好ましくは、スライド機構をロックさせるレバー式ロック機構を有することを特徴とする。
【００１８】
好ましくは、方形環状固定枠は、ゴミ袋としてレジ袋又は手提げ袋を使用したときに、手提げの部分を引っ掛けるフックを有することを特徴とする。
【００１９】
好ましくは、方形環状固定枠の前側のプレートは、チリトリ機能を持たせるために斜めに配置されていることを特徴とする。
【００２０】
好ましくは、さらに、ゴミ箱本体と方形環状固定枠とを着脱自在に結合するための結合機構を有することを特徴とする。
【考案の効果】
【００２１】
本考案によれば、上部が開口とされたゴミ箱本体と、ゴミ箱本体の上部に着脱自在に取り付けられる方形環状固定枠とを有し、方形環状固定枠は、方形環状固定枠の奥行きを可変させるスライド機構および折り畳み自在の取手部を備え、通常時には、ゴミ袋の開口部を固定した方形環状固定枠ゴミ箱本体の上部に装着し、戸外での使用時には、ゴミ箱本体の上部から方形環状固定枠を外し、方形環状固定枠にゴミ袋の開口部を固定して、ゴミ袋の開口部を開いた状態に保持するようにしているので、通常時にはゴミ箱本体内でゴミ袋を保持することができ、戸外でのゴミ収集時にはゴミ袋を開いた状態でゴミ収集を行うことができる。
また、本考案によれば、方形環状固定枠は、折り畳み自在の取手部を有しているので、戸外でのゴミ収集時には、携帯が容易であり、また、通常時には、取手部が邪魔にならない。
また、本考案によれば、方形環状固定枠は、方形環状固定枠の奥行きを可変させるスライド機構を有しているので、大きさや種類の異なるゴミ袋を利用することができる。
【００２２】
本考案によれば、取手部は、上下方向に回動して折り畳み自在としているので、戸外でのゴミ収集時には、携帯が容易であり、また、通常時には、取手部が邪魔にならない。
【００２３】
本考案によれば、取手部は、左右方向に回動して折り畳み自在とするようにしているので、戸外でのゴミ収集時には、携帯が容易であり、また、通常時には、取手部が邪魔にならず、また、コンパクトな構造にできる。
【００２４】
本考案によれば、スライド機構をロックさせるネジを設けているので、方形環状固定枠の奥行きを適切に調整できる。
【００２５】
本考案によれば、スライド機構をロックさせるレバー式ロック機構を設けているので、方形環状固定枠の奥行きを簡単に適切に調整できる。
【００２６】
本考案によれば、方形環状固定枠は、ゴミ袋としてレジ袋又は手提げ袋を使用したときに、手提げの部分を引っ掛けるフックを有しているので、レジ袋や手提げ袋をゴミ袋として利用できる。
【００２７】
本考案によれば、方形環状固定枠の前側のプレートは、チリトリ機能を持たせるために斜めに配置されているので、ゴミを掃き入れて収集できる。
【００２８】
本考案によれば、さらに、ゴミ箱本体と方形環状固定枠とを着脱自在に結合するための結合機構を有しているので、ゴミ箱本体と方形環状固定枠とを確実に装着できる。
【考案を実施するための最良の形態】
【００２９】
第１実施形態．
以下、本考案の実施の形態について図面を参照しながら説明する。図１は、本考案の第１実施形態を示すものである。図１に示すように、本考案の第１実施形態のゴミ収集具１は、ゴミ箱本体１１と、ゴミ箱本体１１の上縁に着脱自在に取り付けられる方形環状固定枠１２とから構成されている。
【００３０】
ゴミ箱本体１１は、図２に示すように、底面板２１と、前後の側面板２２ａ及び２２ｂと、左右の側面板２２ｃ及び２２ｄとを備え、その上側が開口とされている。また、ゴミ箱本体１１の上縁に沿って、方形環状固定枠１２を支持するために、段部２４が設けられている。また、後側の側面板２２ｂの上縁には、方形環状固定枠１２の取手部３０の位置に対応して、切欠２５及び隆起部２６が設けられる。
【００３１】
方形環状固定枠１２は、図３に示すように、前後のフレーム３１ａ及び３１ｂと、左右のフレーム３１ｃ及び３１ｄとからなる。前側のフレーム３１ａは、チリトリ機能を持たせるように、斜めになっている。
【００３２】
また、方形環状固定枠１２には、取手部３０が折り畳み自在に設けられている。取手部３０が折り畳み自在としているのは、戸外で使用するときに携帯しやすいと共に、通常使用時に、邪魔に成らないようにするためである。
【００３３】
また、方形環状固定枠１２には、方形環状固定枠１２の長さを可変させるためのスライド機構３５が設けられている。これは、各種のビニル袋やレジ袋をゴミ袋１３として利用できるようにするためである。
【００３４】
また、方形環状固定枠１２の上縁に沿って、突出部３４が設けられる。また、方形環状固定枠１２には、フック３３ａ〜３３ｆが設けられている。突出部３４は、ゴミ袋１３の開口部１３ａを固定するために設けられている。また、フック３３ａ〜３３ｆは、ゴミ袋１３としてレジ袋を用いた場合に、手提げ部を引っ掛けるために設けられている。
【００３５】
本考案の第１実施形態のゴミ収集具１は、通常時には、図４に示すように、方形環状固定枠１２にビニル袋等のゴミ袋１３をその開口部１３ａを広げた状態で取り付け、方形環状固定枠１２をゴミ箱本体１１の上縁に固定して、屋内で通常のゴミ箱として使用される。
【００３６】
ゴミ袋１３を取り付けた方形環状固定枠１２をゴミ箱本体１１の上縁に固定すると、ゴミ袋１３がその開口部１３ａを開いた状態でゴミ箱本体１１内に位置するようになる。このようなゴミ収集具１では、ゴミ袋１３の開口部が開いた状態で維持されるため、ゴミ箱本体１１の上側からゴミを入れると、そのゴミはゴミ袋１３内に収納される。そして、ゴミ袋１３内のゴミが一杯になったら、方形環状固定枠１２をゴミ箱本体１１の上縁から取り外せば、ゴミの入ったゴミ袋１３を方形環状固定枠１２と共に外すことができ、ゴミを処理を簡単に行うことができる。
【００３７】
また、本考案の第１実施形態のゴミ収集具１は、公共清掃活動等で戸外で使用するときには、図５に示すように、ゴミ箱本体１１から方形環状固定枠１２を外し、方形環状固定枠１２にゴミ袋１３を取り付けて使用される。前述したように、ゴミ袋１３は、その開口部１３ａを方形環状固定枠１２の上縁の突出部３４に引っ掛けることで固定できる。また、ゴミ袋１３としてレジ袋や手提げ型のビニルバッグを用いる場合には、図６に示すように、手提げ部分をフック３３ａ〜３３ｆに引っ掛けることで、ゴミ袋１３を方形環状固定枠１２に固定できる。
【００３８】
方形環状固定枠１２にゴミ袋１３を取り付けて携帯すると、ゴミ袋１３の開口部１３ａを開いたままの状態で固定されているため、拾ったゴミをゴミ袋１３内に簡単に収納することができる。また、ゴミ袋１３を取り付けた方形環状固定枠１２を木やフェンスに引っ掛けておけば、簡易ゴミ箱として使用することができ、高い所や狭い所、足場の悪い所でも、場所を選ばず、簡易ゴミ箱を設置することができる。
【００３９】
前述したように、本考案の第１実施形態のゴミ収集具１では、方形環状固定枠１２に取手部３０が折り畳み自在に設けられている。この取手部３０は、携帯時に使用者が手で掴む部分である。このような取手部３０があると、携帯時には便利である。また、取手部３０を折り畳み自在とすることで、通常、方形環状固定枠１２をゴミ箱本体１１の上側に装着して使用するときにも、取手部３０が邪魔にならないようにしている。
【００４０】
つまり、図７に示すように、取手部３０は、上下に回動自在となっている。また、取手部３０には、図８に示すように、回転ロック機構が設けられており、図８に示すように、取手部３０を矢印Ａ１１方向に回すと締め付けが緩み、取手部３０が回動可能となり、取手部３０を矢印Ａ１２方向に回すと、その位置で締め付けられ、取手部３０の位置が固定される。
【００４１】
通常、方形環状固定枠１２をゴミ箱本体１１の上側に装着して使用するときには、図７で矢印Ａ２１に示すように、取手部３０を回転させ、取手部３０を点線のように折り畳んで収納させておく。このように、取手部３０を点線のように折り畳んで収納させておくと、取手部３０の部分が邪魔にならない。
【００４２】
戸外に携帯するときには、図７で矢印Ａ２２に示すように、取手部３０を回転させ、取手部３０を引き出す。取手部３０を引き出すと、取手部３０を持って作業することができ、公共清掃活動等で戸外で使用する際に、作業がし易くなる。
【００４３】
図９〜図１２は、取手部３０の折り畳み機構を示すものである。図９〜図１２に示すように、取手部３０の折り畳み機構は、軸受穴４２ａ、４２ｂを有する取手取付部４１（図９）と、軸受穴４２ａ、４２ｂに挿通される取手軸部４５（図１０）と、取手部３０と螺合される回転固定輪５６（図１１）とから構成される。
【００４４】
図９に示すように、取手取付部４１は、方形環状固定枠１２の後側フレーム３１ｂに設けられる。取手取付部４１は、軸受穴４２ａ、４２ｂを有し、この軸受穴４２ａ、４２ｂ内には、凸部４３ａ、４３ｂが形成されている。
【００４５】
図１０（Ａ）に示すように、取手軸部４５は、取手取付部４１の軸受穴４２ａ、４２ｂに対応した径を有する円筒状のもので、取手軸部４５には溝部４６ａ、４６ｂが設けられる。また、取手軸部４５の中心には、貫通口４７が設けられる。取手軸部４５の頭部４８は、その径が僅かに大きくなっている。また、図１０（Ｂ）に示すように、取手軸部４５と対向して配置される円板プレート５０は、取手軸部４５の頭部４８とほぼ同一の径を有し、その中心に開口５１が設けられる。
【００４６】
図１１（Ａ）に示すように、回転固定輪５６は、開口５７と、切込５８と、ネジ穴５９とが設けられている。図１１（Ｂ）に示すように、取手部３０の先端には、ネジ５５が設けられる。このネジ５５は、回転固定輪５６のネジ穴５９に螺合される。
【００４７】
図１２に示すように、取手取付部４１の軸受穴４２ａと軸受穴４２ｂとの間に、回転固定輪５６の開口５７が配置され、取手軸部４５が、軸受穴４２ｂ、回転固定輪５６の開口５７、軸受穴４２ａに連通して挿入され、円板プレート５０、ネジ６０により、固定される。これにより、回転固定輪５６は、取手軸部４５に対して回動自在に支持される。また、このとき、軸受穴４２ａ、４２ｂ内の凸部４３ａ、４３ｂと、取手軸部４５の溝部４６ａ、４６ｂとが係合され、取手軸部４５が空転しないようにされる。
【００４８】
かかる構成では、図１３（Ａ）に示すように、取手部３０を矢印Ａ３１方向に回転させると、取手部３０の先端のネジ５５が緩み、回転固定輪５６の切込５８が広がる。このときには、取手部３０が取手軸部４５に対して回動自在となり、取手部３０を方形環状固定枠１２内に収納したり、方形環状固定枠１２から突出させたりすることができる。
【００４９】
図１３（Ｂ）に示すように、取手部３０を矢印Ａ３２方向に回転させると、取手部３０の先端のネジ５５が締まり、回転固定輪５６が取手軸部４５に締め付けられ、取手部３０がその位置で固定される。
【００５０】
また、前述したように、本考案の第１実施形態のゴミ収集具１では、左右両側のフレーム３１ｃ及び３１ｄにはスライド機構３５を設け、方形環状固定枠１２の長さは、可変できるようになっている。
【００５１】
図１４（Ａ）は方形環状固定枠１２を延ばしたときを示し、図１４（Ｂ）は、方形環状固定枠１２を縮めたときを示している。このように、左右両側のフレーム３１ｃ及び３１ｄにはスライド機構３５を設け、方形環状固定枠１２の奥行きは、可変できるようにすると、ゴミ袋１３の開口の大きさに合わせて、方形環状固定枠１２の奥行きを調整でき、ゴミ袋１３として、大きさの異なるものが使用可能である。
【００５２】
この例では、方形環状固定枠１２を延ばしたときには、方形環状固定枠１２は、市町村指定のゴミ袋の開口の大きさに対応し、方形環状固定枠１２を縮めたときには、方形環状固定枠１２は、レジ袋の開口の大きさに対応するようにしている。また、方形環状固定枠１２を縮めておくと、携帯する際に、邪魔にならないという利点がある。
【００５３】
図１５及び図１６は、スライド機構３５を示すものである。図１５及び図１６に示すように、方形環状固定枠１２は、枠パーツ７１と、枠パーツ７２とから構成されている。枠パーツ７２には、スライド溝７３ａ及び７３ｂが形成されている。枠パーツ７１の先端には、ネジ穴７６ａ、７６ｂが形成されている。図１６に示すように、枠パーツ７２に枠パーツ７１が収納され、枠パーツ７１の先端のネジ穴７６ａ、７６ｂにネジ７５ａ及び７５ｂが装着される。
【００５４】
かかるスライド機構では、ネジ７５ａ及び７５ｂを緩めると、図１７で矢印Ａ４１及びＡ４２に示すように、枠パーツ７２に対して枠パーツ７１がスライド溝７３ａ及び７３ｂに沿って摺動し、方形環状固定枠１２の奥行きを調整できる。ネジ７５ａ及び７５ｂを締め付けると、その位置で、枠パーツ７２と枠パーツ７１とが固定され、方形環状固定枠１２の奥行きが固定される。
【００５５】
また、前述したように、本考案の第１実施形態では、図１８に示すように、方形環状固定枠１２の前側のフレーム３１ａを斜めにしている。方形環状固定枠１２の前側のフレーム３１ａを斜めになっていると、チリトリとして機能できるようになり、戸外に携帯するときには、箒でゴミを集め、ゴミを集めやすい。
【００５６】
第２実施形態．
図１９〜図２４は、本考案の第２実施形態のゴミ収集具２の構成を示すものである。図１９及び図２０に示すように、この実施形態では、ゴミ箱本体１１の両側に、ゴミ箱本体１１と方形環状固定枠１２とを着脱自在に結合するための結合機構８１ａ及び８１ｂを設けるようにしている。結合機構８１ａ及び８１ｂは、図２１（Ａ）及び図２１（Ｂ）に示すように、鋼材のシャフト８３ａ及び８３ｂとゴムローラ８２とからなり、ゴムローラ８２を方形環状固定枠１２の縁部８４に係合させて、ゴミ箱本体１１と方形環状固定枠１２とを着脱自在に結合させるように構成されている。
【００５７】
また、図２２は、本考案の第２実施形態における方形環状固定枠１２を示している。前述の第１実施形態では、取手部３０を上下に回動させて折り畳み自在としていたのに対して、この実施形態においては、図２２に示すように、回動支点３７を中心にして取手部３６を矢印Ａ５１及びＡ５２で示すように横方向に回動させて、折り畳み自在としている。これにより、取手部３６をコンパクトにすることができる。図１９は、回動支点３７を中心にして取手部３６を横方向に回動させて収納した状態を示す。
【００５８】
また、この実施形態では、方形環状固定枠１２の左右両側のフレーム３１ｃ及び３１ｄのスライド機構３５として、図２３に示すように、レバー式のロック部材８５を用いるようにしている。このレバー式のロック部材８５では、図２４（Ａ）に示すように、ロック部材８５を矢印Ａ６１に示す方向に回転させると、ロックが解除になり、図２３（Ｂ）に示すように、矢印Ａ６２に示す方向に回転させると、ロック状態なる。このようなレバー式のロック部材８５を用いると、ネジによるロック機構に比べて、操作が素早くできる。
【００５９】
また、この実施形態では、図２２に示すように、方形環状固定枠１２の下部を囲むように、出張部８６を設けるようにしている。この出張部８６は、方形環状固定枠１２の強化となると共に、ゴミ袋１３を引っ掛ける際に、すべり止めとなる。
【００６０】
以上のように、この第２実施形態は、前述の第１実施形態に対して、ゴミ箱本体１１と方形環状固定枠１２とを着脱自在に結合するための結合機構８１ａ及び８１ｂを設けると共に、取手部３０の折り畳み機構や、方形環状固定枠１２のスライド機構等に変更が施され、さらに、方形環状固定枠１２の下部を囲むように出張部８６を設けているが、基本的な機構や使用方法は、前述の第１実施形態と同様である。第１実施形態と同様な部分については、同一符号を付して、その説明を省略する。
【００６１】
本考案は、上述した実施形態に限定されるものではなく、この考案の要旨を逸脱しない範囲内で様々な変形や応用が可能である。
【産業上の利用可能性】
【００６２】
本考案は、地域ぐるみの清掃活動等の公共清掃活動におけるゴミ収集具として利用可能である。
【図面の簡単な説明】
【００６３】
【図１】本考案の第１実施形態のゴミ収集具の構成を示す斜視図である。
【図２】本考案の第１実施形態のゴミ収集具におけるゴミ箱本体の構成を示す斜視図である。
【図３】本考案の第１実施形態のゴミ収集具における方形環状固定枠の構成を示す斜視図である。
【図４】本考案の第１実施形態のゴミ収集具の通常使用時の説明図である。
【図５】本考案の第１実施形態のゴミ収集具の戸外使用時の説明図である。
【図６】本考案の第１実施形態のゴミ収集具のゴミ袋の取り付けの説明図である。
【図７】本考案の第１実施形態のゴミ収集具の取手部の動作の説明図である。
【図８】本考案の第１実施形態のゴミ収集具の取手部の動作の説明図である。
【図９】本考案の第１実施形態のゴミ収集具の取手部の折り畳み機構の説明図である。
【図１０】本考案の第１実施形態のゴミ収集具の取手部の折り畳み機構の説明図である。
【図１１】本考案の第１実施形態のゴミ収集具の取手部の折り畳み機構の説明図である。
【図１２】本考案の第１実施形態のゴミ収集具の取手部の折り畳み機構の説明図である。
【図１３】本考案の第１実施形態のゴミ収集具の取手部の折り畳み機構の説明図である。
【図１４】本考案の第１実施形態のゴミ収集具の方形環状固定枠のスライド機構の説明図である。
【図１５】本考案の第１実施形態のゴミ収集具の方形環状固定枠のスライド機構の説明図である。
【図１６】本考案の第１実施形態のゴミ収集具の方形環状固定枠のスライド機構の説明図である。
【図１７】本考案の第１実施形態のゴミ収集具の方形環状固定枠のスライド機構の説明図である。
【図１８】本考案の第１実施形態のゴミ収集具のチリトリ機能の説明図である。
【図１９】本考案の第２実施形態のゴミ収集具の構成を示す斜視図である。
【図２０】本考案の第２実施形態のゴミ収集具におけるゴミ箱本体の構成を示す斜視図である。
【図２１】本考案の第２実施形態のゴミ収集具における結合機構の説明図である。
【図２２】本考案の第２実施形態のゴミ収集具における方形環状固定枠の構成を示す斜視図である。
【図２３】本考案の第２実施形態のゴミ収集具における方形環状固定枠のロック機構の説明図である。
【図２４】本考案の第２実施形態のゴミ収集具における方形環状固定枠のロック機構の説明図である。
【符号の説明】
【００６４】
１，２  ゴミ収集具
１１  ゴミ箱本体
１２  方形環状固定枠
１３  ゴミ袋
１３ａ  ゴミ袋の開口部
２１  底面板
２２ａ〜２２ｄ  側面板
２４  段部
２５  切欠
２６  隆起部
３０  取手部
３１ａ〜３１ｄ  フレーム
３３ａ〜３３ｆ  フック
３４  突出部
３５  スライド機構
３６  取手部
３７  回動支点
４１  取手取付部
４２ａ，４２ｂ  軸受穴
４３ａ，４３ｂ  凸部
４５  取手軸部
４６ａ、４６ｂ  溝部
４７  貫通口
４８  取手軸部の頭部
５０  円板プレート
５１  開口
５５  ネジ
５６  回転固定輪
５７  開口
５８  切込
５９  ネジ穴
６０  ネジ
７１，７２  枠パーツ
７３ａ，７３ｂ  スライド溝
７５ａ，７５ｂ  ネジ
８１ａ，８１ｂ  結合機構
８２  ゴムローラ
８３ａ，８３ｂ  シャフト
８５  ロック部材
８６  出張部
【図１】
0003145062.tif 000003
【図２】
0003145062.tif 000004
【図３】
0003145062.tif 000005
【図４】
0003145062.tif 000006
【図５】
0003145062.tif 000007
【図６】
0003145062.tif 000008
【図７】
0003145062.tif 000009
【図８】
0003145062.tif 000010
【図９】
0003145062.tif 000011
【図１０】
0003145062.tif 000012
【図１１】
0003145062.tif 000013
【図１２】
0003145062.tif 000014
【図１３】
0003145062.tif 000015
【図１４】
0003145062.tif 000016
【図１５】
0003145062.tif 000017
【図１６】
0003145062.tif 000018
【図１７】
0003145062.tif 000019
【図１８】
0003145062.tif 000020
【図１９】
0003145062.tif 000021
【図２０】
0003145062.tif 000022
【図２１】
0003145062.tif 000023
【図２２】
0003145062.tif 000024
【図２３】
0003145062.tif 000025
【図２４】
0003145062.tif 000026